(57)【要約】      （修正有）【課題】パチスロゲーム機のコイン投入口は、コイン１枚厚の間隙で投入操作をするため技術を必要とした、この投入口をコイン２枚厚とすることにより、より容易になり中間部制御板により、１枚宛パチスロ機内に導入するものを提供する。【解決手段】コイン投入時コイン１枚分の投入口間隙を、倍の２枚分にすることにより投入操作を、容易にしたものでコイン１枚以上の投入動作に不馴れな者でも、開口部に簡単に技術を要しない投入が可能な機構。【選択図】図１
0003114749.tif 000002
【実用新案登録請求の範囲】
【請求項１】
スロットマシン（パチスロ）用のコイン投入口（２）をコイン２枚厚間隙とし中程に一方を斜めに欠いた制御板（３）を設け、コイン（４）、コイン（５）が投入されるとコイン（４）は制御板（３）によって落下を妨げられる、コイン（５）は落下を妨げられる事がないので下方に排出される、コイン（５）が排出されるとコイン（４）は制御板（３）によって落下を妨げられていたのでコイン（４）が順次排出される。
【考案の詳細な説明】
【発明の詳細な説明】
【技術分野】
【０００１】  コインの特性を活用し、連続投入排出を可能にしたもので、投入されたコインは必ず自重により制御板で邪魔をされたコインは停止し、もう一方のコインが排出されてから２枚目のコインが排出されるコイン投入口である。
又、もしコインが詰まった場合でも投入口よりコインが出ているため容易に取り除くことが可能である。
【背景技術】
【０００２】スロットマシン（パチスロ）の現在のコイン投入は１枚宛てタテ方向投入が主流である。
【発明が解決しようとする課題】
【０００３】  現状の欠点は次のようなものである。
１ゲーム１〜３枚投入に、１枚宛て投入の為スタートまでの時間が掛かつた。
【課題を解決するための手段】
【０００４】  現行のスロットマシン（パチスロ）は、コインの投入から、ゲームがはじまる。コイン投入には、手で一枚ずつ整理し投入口にタテに投入する必要があった。これを解決する方法は、２枚ずつ投入することで容易にゲームの進行ができ、且開口部が広いので１枚投入でも円滑にゲームの進行ができる。
【考案を実施するための最良の形態】
【０００５】以下、本発明の実施の形態を説明する。
スロットマシン（パチスロ）用のコイン投入口（２）の中程に制御板（３）を設けコイン（４）を２枚ずつ投入しても投入口下部より１枚ずつ排出可能な投入口。
【発明の効果】
【０００６】現在のスロットマシンのコインはコイン投入に時間がかかつた、それは一枚宛投入のためで本投入口は２枚同時投入が可能なため投入時間を半減することが可能で、安定して１枚ずつ排出可能な投入口である。
【図面の簡単な説明】
【図１】本発明の側面図である。
【図２】本考案の拡大図である。
【図１】
0003114749.tif 000003
【図２】
0003114749.tif 000004
【手続補正書】
【提出日】平成17年4月20日(2005.4.20)
【手続補正１】
【補正対象書類名】実用新案登録請求の範囲
【補正対象項目名】全文
【補正方法】変更
【補正の内容】
【実用新案登録請求の範囲】
【請求項１】
スロットマシンのコイン投入口部分の開口部を、コイン外径とコイン２枚厚の投入部口径とし、コイン半径の落下部位にコイン１枚厚の制御板を設け、先端部分を傾斜とし、２枚投入したコイン１枚の落下を制御し、安定落下したコインに引続き２枚目が落下し投入口下部から排出される。コイン２枚投入１枚連続排出する構造を持つ投入器具。
【手続補正２】
【補正対象書類名】明細書
【補正対象項目名】全文
【補正方法】変更
【補正の内容】
【考案の詳細な説明】
【技術分野】
【０００１】コインの特性を活用し、連続投入排出を可能にしたもので、コイン投入口（２）をコイン２枚厚の間隔とし、開口部位よりコイン半径落下部位に開口部制御板（３）を設け、コイン（４）コイン（５）が投入されると、コイン（４）は制御板（３）によって落下を妨げられ、コイン（５）は安定落下しコイン（５）の落下に続いて、コイン（４）が順次排出される投入口構造である。
【背景技術】
【０００２】スロットマシンのコイン投入は、縦一枚宛の開口部を持つ投入口である。
【考案が解決しようとする課題】
【０００３】１ゲームに１〜３枚投入に１枚宛投入の為、時間がかかり技術を要した。
【課題を解決する為の手段】
【０００４】スロットマシンは一枚宛コインを投入しゲームがスタートする。コイン投入には一枚宛整理して投入したが、２枚宛投入出来ることにより、投入口に容易に落下させることが可能となり、投入時間を短縮出来る投入口である。
【考案を実施するための最良の形態】
【０００５】スロットマシンのコイン投入口をコイン２枚厚の開口部を持った投入口とし、中間にコイン１枚厚の傾斜面を持った制御板により２枚投入コインを１枚づつ排出口から連続して排出可能な投入器具である。
【図面の簡単な説明】
【０００６】
【図１】本考案の投入口の側面図である。コイン整列台（１）より、投入開口部（２）に移動したコイン（４）（５）は落下し、（３）の制御板によりコイン（４）のみ制御され、コイン（５）が落下後コイン（４）が連続して排出される。
【図２】本考案の投入口の拡大図である。投入口（２）投入されたコイン（４）（５）制御板（３）投入待ちコイン（６）
【符号の説明】
【０００７】（１）コイン整列台
（２）コイン投入口  開口部
（３）開口部制御板
（４）コイン１
（５）コイン２
（６）投入待ちコイン
【手続補正３】
【補正対象書類名】図面
【補正対象項目名】全図
【補正方法】変更
【補正の内容】
【図１】
0003114749.tif 000005
【図２】
0003114749.tif 000006
【手続補正書】
【提出日】平成17年6月30日(2005.6.30)
【手続補正１】
【補正対象書類名】実用新案登録請求の範囲
【補正対象項目名】全文
【補正方法】変更
【補正の内容】
【実用新案登録請求の範囲】
【請求項１】
スロットマシンのコイン投入口部分の開口部が、コイン外径とコイン２枚厚の投入部口径とされ、コイン半径の落下部位にコイン１枚厚の制御板が設けられ、先端部分が傾斜し、２枚投入したコイン１枚の落下を制御し、安定落下したコインに引続き２枚目が落下し投入口下部から排出される、コイン２枚投入１枚連続排出する構造を持つ投入器具。
【手続補正２】
【補正対象書類名】明細書
【補正対象項目名】全文
【補正方法】変更
【補正の内容】
【考案の詳細な説明】
【技術分野】
【０００１】コインの特性を活用し、連続投入排出を可能にしたもので、コイン投入口（２）をコイン２枚厚の間隔とし、開口部位よりコイン半径落下部位に開口部制御板（３）を設け、コイン（４）コイン（５）が投入されると、コイン（４）は制御板（３）によって落下を妨げられ、コイン（５）は安定落下しコイン（５）の落下に続いて、コイン（４）が順次排出される投入口構造である。
【背景技術】
【０００２】スロットマシンのコイン投入は、縦一枚宛の開口部を持つ投入口である。
【考案の開示】
【考案が解決しようとする課題】
【０００３】１ゲームに１〜３枚投入に１枚宛投入の為、時間がかかり技術を要した。
【課題を解決する為の手段】
【０００４】スロットマシンは一枚宛コインを投入しゲームがスタートする。コイン投入には一枚宛整理して投入したが、２枚宛投入出来ることにより、投入口に容易に落下させることが可能となり、投入時間を短縮出来る投入口である。
【考案の実施するための最良の形態】
【０００５】スロットマシンのコイン投入口をコイン２枚厚の開口部を持った投入口とし、中間にコイン１枚厚の傾斜面を持った制御板により２枚投入コインを１枚づつ排出口から連続して排出可能な投入器具である。
【図面の簡単な説明】
【０００６】
【図１】本考案の投入口の側面図である。コイン整列台（１）より、投入開口部（２）に移動したコイン（４）（５）は落下し、（３）の制御板によりコイン（４）のみ制御され、コイン（５）が落下後コイン（４）が連続して排出される。
【図２】本考案の投入口の拡大図である。投入口（２）投入されたコイン（４）（５）制御板（３）投入待ちコイン（６）
【符号の説明】
【０００７】（１）コイン整列台
（２）コイン投入口  開口部
（３）開口部制御板
（４）コイン１
（５）コイン２
（６）投入待ちコイン
【手続補正３】
【補正対象書類名】図面
【補正対象項目名】全図
【補正方法】変更
【補正の内容】
【図１】
0003114749.tif 000007
【図２】
0003114749.tif 000008